(57)【要約】  【課題】  小型で、余長の整理が簡単な光ケーブル接続部収納ボックスを提供する。  【解決手段】  この光ケーブル接続部収納ボックスは、背面壁14及びこの背面壁の周辺から立ち上がる周壁16を有するボックス本体10と、このボックス本体の開口部を覆うカバーとからなる。周壁の下壁部分16ｄの両端側に光ケーブル導入部18、20が設けられ、周壁16の内側にコネクタ設置台24Ａ、24Ｂが設けられ、このコネクタ設置台の裏側の周壁16に囲まれた領域が屋内光ケーブル44の余長収納部28となっている。周壁の下壁部分16ｄがアーチ形に形成され、この下壁部分16ｄの下側に局側光ケーブル46の余長保持部32が設けられている。余長保持部32はアーチ形下壁部分16ｄと、その下側に設けられたガイド30とで構成されている。【選択図】  図７
2006098433.tif 000002
【特許請求の範囲】
【請求項１】
第一の光ケーブル（４４）と第二の光ケーブル（４６）とのコネクタ接続部を収納する光ケーブル接続部収納ボックスであって、
背面壁（１４）及びこの背面壁の周辺から立ち上がる周壁（１６）を有するボックス本体（１０）と、このボックス本体の開口部を覆うカバー（１２）とからなり、
前記ボックス本体（１０）は、その周壁（１６）の一部に設けられた第一の光ケーブルの導入部（１８）及び第二の光ケーブルの導入部（２０）と、前記周壁（１６）の内側に設けられたコネクタ設置台（２４Ａ、２４Ｂ）と、前記周壁（１６）の内側に設けられた第一の光ケーブルの余長収納部（２８）と、前記周壁（１６）の外側に設けられた第二の光ケーブルの余長保持部（３２）とを有している、
ことを特徴とする光ケーブル接続部収納ボックス。
【請求項２】
請求項１記載の光ケーブル接続部収納ボックスであって、第一の光ケーブル（４４）及び第二の光ケーブル（４６）はそれぞれ単心光ケーブルからなり、ボックス本体（１０）は建物の壁又は柱に取り付けられて前面が開口するように形成されており、第一の光ケーブルの導入部（１８）及び第二の光ケーブルの導入部（２０）は周壁の下壁部分（１６ｄ）の両端側又は一端側に設けられており、第二の光ケーブルの余長保持部（３２）は周壁の下壁部分（１６ｄ）の下側に設けられている、ことを特徴とする光ケーブル接続部収納ボックス。
【請求項３】
請求項２記載の光ケーブル接続部収納ボックスであって、コネクタ設置台（２４Ａ、２４Ｂ）は背面壁（１４）との間に間隔をあけて設けられ、このコネクタ設置台（２４Ａ、２４Ｂ）の裏側の周壁（１６）に囲まれた領域が第一の光ケーブルの余長収納部（２８）となっていることを特徴とする光ケーブル接続部収納ボックス。
【請求項４】
請求項３記載の光ケーブル接続部収納ボックスであって、コネクタ設置台（２４Ａ、２４Ｂ）が、周壁の一方の側壁部分（１６ｂ）の内側と他方の側壁部分（１６ｃ）の内側に一つずつ、背面壁（１４）との間隔を異ならせて段違いに設けられていることを特徴とする光ケーブル接続部収納ボックス。
【請求項５】
請求項２ないし４のいずれかに記載の光ケーブル接続部収納ボックスであって、ボックス本体（１０）の周壁の下壁部分（１６ｄ）がアーチ形に形成され、このアーチ形下壁部分（１６ｄ）の下側に第二の光ケーブル（４６）をアーチ形下壁部分（１６ｄ）に沿って湾曲させるガイド（３０）が設けられていることを特徴とする光ケーブル接続部収納ボックス。
【請求項６】
請求項５記載の光ケーブル接続部収納ボックスであって、アーチ形下壁部分（１６ｄ）の両端部に、当該両端部の背面壁側の部分を凹ませて、あご部（３６）が形成されていることを特徴とする光ケーブル接続部収納ボックス。
【請求項７】
請求項５又は６記載の光ケーブル接続部収納ボックスであって、第二の光ケーブル（４６）に異常な張力がかかったときのガイド（３０）の破損強度が、当該光ケーブルの導入部（２０）のケーブル把持強度よりも低く設定されていることを特徴とする光ケーブル接続部収納ボックス。
【請求項８】
請求項１ないし７のいずれかに記載の光ケーブル接続部収納ボックスであって、第一の光ケーブルの導入部（１８）及び第二の光ケーブルの導入部（２０）に防塵、防虫用の閉塞部品（２２）が組み付けられていることを特徴とする光ケーブル接続部収納ボックス。
【発明の詳細な説明】
【技術分野】
【０００１】
本発明は、光ファイバ心線数の少ない光ケーブル、特に単心光ケーブルのコネクタ接続部を収納するのに好適な光ケーブル接続部収納ボックスに関するものである。
【背景技術】
【０００２】
例えば光ファイバ通信網のユーザー宅などに設置されて、ユーザー宅内に配線された屋内光ケーブルと局側の光ケーブル（ドロップケーブル等）とのコネクタ接続部を収納する従来の光ケーブル接続部収納ボックスは、ボックス本体内に、光ケーブルの心線接続部とその余長を収納する余長収納ケースを組み込んで、カバーを被せる構造となっている。屋内光ケーブル及び局側光ケーブルは単心又は２心であるが、接続に際しては、端部の外被を剥いで光ファイバ心線を露出させ、心線を接続した後、両光ケーブルの心線接続部と心線余長をボックス本体内の余長収納ケースに収納するようにしている。
【発明の開示】
【発明が解決しようとする課題】
【０００３】
従来のこの種の光ケーブル接続部収納ボックスは、上記のようにボックス本体内に余長収納ケースを組み込むため、ケースの背面壁及び周壁が二重になり、小型化するのが難しいという問題があった。また両光ケーブルの心線余長を余長収納ケースに収納するため、余長が錯綜しやすく、取扱いが面倒であるという問題があった。
【０００４】
本発明の目的は、小型で、余長の整理が簡単な光ケーブル接続部収納ボックスを提供することにある。
【課題を解決するための手段】
【０００５】
本発明に係る光ケーブル接続部収納ボックスは、第一の光ケーブルと第二の光ケーブルとのコネクタ接続部を収納するものであって、
背面壁及びこの背面壁の周辺から立ち上がる周壁を有するボックス本体と、このボックス本体の開口部を覆うカバーとからなり、
前記ボックス本体は、その周壁の一部に設けられた第一の光ケーブルの導入部及び第二の光ケーブルの導入部と、前記周壁の内側に設けられたコネクタ設置台と、前記周壁の内側に設けられた第一の光ケーブルの余長収納部と、前記周壁の外側に設けられた第二の光ケーブルの余長保持部とを有している、ことを特徴とするものである（請求項１）。
【０００６】
本発明に係る光ケーブル接続部収納ボックスは、第一の光ケーブル及び第二の光ケーブルがそれぞれ単心光ケーブルからなり、ボックス本体が建物の壁又は柱に取り付けられて前面が開口するように形成されており、第一の光ケーブルの導入部及び第二の光ケーブルの導入部が周壁の下壁部分の両端側又は一端側に設けられており、第二の光ケーブルの余長保持部が周壁の下壁部分の下側に設けられているものであることが好ましい（請求項２）。
【０００７】
また本発明に係る光ケーブル接続部収納ボックスは、コネクタ設置台が背面壁との間に間隔をあけて設けられ、このコネクタ設置台の裏側の周壁に囲まれた領域が第一の光ケーブルの余長収納部となっているものであることが好ましい（請求項３）。
【０００８】
また本発明に係る光ケーブル接続部収納ボックスは、コネクタ設置台が、周壁の一方の側壁部分の内側と他方の側壁部分の内側に一つずつ、背面壁との間隔を異ならせて段違いに設けられているものであることが好ましい（請求項４）。
【０００９】
また本発明に係る光ケーブル接続部収納ボックスは、ボックス本体の周壁の下壁部分がアーチ形に形成され、このアーチ形下壁部分の下側に第二の光ケーブルをアーチ形下壁部分に沿って湾曲させるガイドが設けられているものであることが好ましい（請求項５）。
【００１０】
また本発明に係る光ケーブル接続部収納ボックスは、アーチ形下壁部分の両端部に、当該両端部の背面壁側の部分を凹ませて、あご部が形成されているものであることが好ましい（請求項６）。
【００１１】
また本発明に係る光ケーブル接続部収納ボックスは、第二の光ケーブルに異常な張力がかかったときのガイドの破損強度が、当該光ケーブルの導入部のケーブル把持強度よりも低く設定されているものであることが好ましい（請求項７）。
【００１２】
また本発明に係る光ケーブル接続部収納ボックスであって、第一の光ケーブルの導入部及び第二の光ケーブルの導入部に防塵、防虫用の閉塞部品が組み付けられているものであることが好ましい（請求項８）。
【発明の効果】
【００１３】
請求項１の発明によれば、第一の光ケーブルの余長をボックス本体の内側に収納し、第二の光ケーブルの余長をボックス本体の外側に保持する構成としたため、両光ケーブルの余長が重なり合うことがなく、余長の整理がしやくなると共に、収納ボックスを小型化できる。また光ケーブルの状態で余長をとるため、光ファイバ心線が露出せず、光ファイバ心線を傷つけるおそれがない。さらに、回線障害が生じたときはコネクタを切り離して障害点探査の測定が行われるが、第一の光ケーブルと第二の光ケーブルの所有会社（通信会社）が異なる場合、一方の会社は他社の光ケーブルに触らずにコネクタを着脱して自社の光ケーブルだけの測定を行うことができると共に、自社の光ケーブルに障害のあることが判明すれば他社の光ケーブルの余長をほぐすことなく自社の光ケーブルだけを取り替えることができる。したがって光ケーブル所有会社の責任がより明確になると共に、一方の光ケーブルを取り替えるときに他方の光ケーブルを損傷させるおそれがない。
【００１４】
請求項２の発明によれば、ボックス本体が前面開口型で小型であるので、光通信網のユーザー端末が設置されている建物の壁などに取り付けて、ユーザー宅内の屋内光ケーブル（第一の光ケーブル）と局側の光ケーブル（第二の光ケーブル）とのコネクタ接続部を収納するボックスとして好適である。また局側の光ケーブルの余長はボックス本体の下側に保持されるため邪魔にならない。なお局側の光ケーブルは耐候性があるため、その余長をボックス本体の外側に保持しても、劣化等の問題は生じない。
【００１５】
請求項３の発明によれば、コネクタ設置台が、余長収納部に収納された第一の光ケーブルの飛び出し防止片として作用するため、第一の光ケーブルの余長の収納状態が安定する。
【００１６】
請求項４の発明によれば、第一の光ケーブルと第二の光ケーブルのコネクタ接続部を２組まで収納できる。また二つのコネクタ設置台が段違いになっているので、コネクタ接続部を２組収納したときに、コネクタ又はコネクタから出るケーブルが段違いになり、相互の干渉を防止できる。また段違いにすることにより二つのコネクタ設置台の先端間隔が大きくなり、第一の光ケーブルの余長収納作業が容易になる。
【００１７】
請求項５の発明によれば、アーチ形の下壁部分とガイドとの間に第二の光ケーブルを押し込むだけで、第二の光ケーブルを所定の曲率で湾曲させることができるので、第二の光ケーブルの余長をループ状にして保持させる作業を容易に行える。
【００１８】
請求項６の発明によれば、アーチ形の下壁部分とガイドとの間に押し込まれた第二の光ケーブルがあご部に引っ掛かるので、手前側に飛び出さなくなり、第二の光ケーブルの余長を安定して保持できる。
【００１９】
請求項７の発明によれば、第二の光ケーブルに異常な張力がかかった場合に、まずガイドが破損して張力をゆるめるため、第二の光ケーブルの導入部から第二の光ケーブルが引っ張り出されるおそれが少なく、コネクタ接続部への悪影響を防止できる。
【００２０】
請求項８の発明によれば、収納ボックス内に塵埃や虫などが入るのを防止することができる。
【発明を実施するための最良の形態】
【００２１】
図１ないし図６は本発明に係る光ケーブル接続部収納ボックスの一実施形態を示す。図において、１０はボックス本体、１２はボックス本体１０に被せられるカバーである。
【００２２】
ボックス本体１０は、図１ないし図３に示すように、縦長の背面壁１４と、この背面壁１４の周辺から前面側に立ち上がる周壁１６とを有する、前面開口型である。このボックス本体１０は、その背面壁１４が垂直になるように建物の壁又は柱などにねじで固定される。１７は固定用のねじ穴である。なおボックス本体１０は背面壁１４が水平になるように寝せて設置してもかまわない。
【００２３】
周壁１６は、上壁部分１６ａと、左右の側壁部分１６ｂ、１６ｃと、下壁部分１６ｄとから構成されている。下壁部分１６ｄはアーチ形に形成されている。アーチ形の下壁部分１６ｄの両端部にはそれぞれ、二つの光ケーブル導入部１８、２０が隣接して設けられている。光ケーブル導入部１８、２０は両方とも溝形であるが、外側の光ケーブル導入部１８の溝は深く、内側の光ケーブル導入部２０の溝は浅く形成されている。光ケーブル導入部１８、２０は内壁面に突起を形成することにより、光ケーブルを押し込むだけで所要の把持力（引き抜きに対する抵抗力）が得られるようになっている。
【００２４】
また光ケーブル導入部１８、２０には、そこから塵埃や虫などが収納ボックス内に入らないようにするため、防塵、防虫用の閉塞部品２２が組み付けられるようになっている（図４及び図５参照）。この閉塞部品２２は、導入部１８、２０内の空間を全部埋める形に形成されているが、導入部１８、２０に光ケーブルが装着されたときは、図５（Ｂ）の破線Ｓの位置で切断して先端部を除去することにより、光ケーブルを除く空間を埋めるように形成されている。
【００２５】
また周壁１６の内側には二つのコネクタ設置台２４Ａ、２４Ｂが設けられている。一方のコネクタ設置台２４Ａは一方の側壁部分１６ｂの内側に、他方のコネクタ設置台２４Ｂは他方の側壁１６ｃの内側に設けられている。コネクタ設置台２４Ａ、２４Ｂは、図１に示すように、ボックス本体１０のボックス部分１０ａとは別部品となっており、ボックス部分１０ａの背面壁１４に組み付けられるようになっている。これは、コネクタ設置台２４Ａ、２４Ｂの設計変更等に柔軟に対応できるようにすると共に、ボックス本体１０の成形を容易にするためである。コネクタ設置台２４Ａ、２４Ｂはボックス部分１０ａと一体に形成してもよい。
【００２６】
二つのコネクタ設置台２４Ａ、２４Ｂは背面壁１４との間に間隔をあけて設けられているが、一方のコネクタ設置台２４Ａの背面壁１４との間隔は、他方のコネクタ設置台２４Ｂの背面壁１４との間隔よりも、小さく設定されている（図３参照）。つまり二つのコネクタ設置台２４Ａ、２４Ｂは前後方向に段違いになるように設けられている。コネクタ設置台２４Ａ、２４Ｂにはそれぞれ、コネクタホルダ２６が上下二段に形成されているが、これは後述するように２種類のコネクタを保持できるようにするためである。
【００２７】
コネクタ設置台２４Ａ、２４Ｂの裏側の周壁１６に囲まれた領域は、屋内光ケーブル（第一の光ケーブル）の余長収納部２８となっている。
【００２８】
またアーチ形に形成された周壁１６の下壁部分１６ｄの下側には、局側光ケーブル（第二の光ケーブル）をアーチ形の下壁部分１６ｄに沿って湾曲させるガイド３０が設けられている。このガイド３０と、アーチ形の下壁部分１６ｄと、下壁部分１６ｄの下側に延び出している背面壁１４の下部とは、ループ状にした局側光ケーブルの余長を保持する余長保持部３２を構成している。ガイド３０は細い連結部３４を介して背面壁１４に連結されている。この連結部３４の強度は、局側光ケーブル導入部２０のケーブル把持強度よりも低く設定されている。したがって余長保持部３２に保持されている局側光ケーブルに異常な張力がかかったときは、局側光ケーブルが導入部２０から引っ張り出される前に、連結部３４が折れて（ガイド３０が破損して）、局側光ケーブルの輪取り余長がほぐれるため、つまりガイド３０がダンパー的な役割をするため、局側光ケーブルが導入部２０から引っ張り出されることがなく、損傷を防止できる。
【００２９】
またアーチ形下壁部分１６ｄの両端部には、背面壁側の部分（内側の光ケーブル導入部２０の裏側の部分）を凹ませて、あご部３６が形成されている。このあご部３６は、余長保持部３２に保持された局側光ケーブルの余長が前面側へ飛び出すのを防止する働きをする。
【００３０】
一方、前記カバー１２は、図１及び図６に示すように、正面壁３８の背面側に、上部周壁部４０ａ、左右周壁部４０ｂ、４０ｃ、及び上部背板部４２を一体に形成したものである。これによりカバー１２は、ボックス本体１０の前面開口部と、上面及び左右両側面と、背面上部とを覆い、ボックス本体１０内に雨水等が入らないようにする。
【００３１】
次に、以上のように構成された光ケーブル接続部収納ボックスの使用状態を説明する。図７（Ａ）はボックス本体１０に光ケーブルのコネクタ接続部を１組だけ収納した状態を示す。４４は屋内光ケーブル、４６は局側光ケーブル、４８は屋内光ケーブル４４の端部に取り付けたコネクタ、５０は局側光ケーブル４６の端部に取り付けたコネクタである。屋内光ケーブル４４及び局側光ケーブル４６は単心（光ファイバ心線が１本）であり、外被ごとコネクタ４８、５０内に挿入、固定され、心線は露出していない。局側光ケーブル４６側のコネクタ５０はケーブル引き出し部がＬ字形に曲がっている。このようなコネクタ５０を用いると、屋内光ケーブル４４と局側光ケーブル４６を同じ側（下壁部分１６ｄの右端側）の導入部１８、２０を通してボックス本体１０に導入することができるので、接続された光ケーブルの組が分かりやすい。１組目のコネクタ接続部は背面壁１４に近い方のコネクタ設置台２４Ａに設置される。局側光ケーブルのコネクタ５０にはフランジ部５２が形成されていて、このフランジ部５２を下段側のコネクタホルダ２６に押し込むことで、コネクタ接続部がコネクタ設置台２４Ａ上に保持される。
【００３２】
屋内光ケーブル４４の余長はループ状にしてコネクタ設置台２４Ａ、２４Ｂの裏側の余長収納部２８に収納される。コネクタ設置台２４Ａ、２４Ｂは段違いになっているため、段違いでない場合よりも、先端縁の間隔が大きくなり、余長収納部２８への余長の収納作業が容易になる。局側光ケーブル４６の余長は、ループ状にして、その上部をアーチ形下壁部分１６ｄとガイド３０の間に押し込むことで、余長保持部３２に保持させる。局側光ケーブル４６はある程度の剛性があるため、ループ状の余長は円形に広がろうとして、その一部があご部３６の裏側に入り込む。このため、局側光ケーブル４６の余長が余長保持部３２から前面側へ飛び出すおそれがなく、余長を安定して保持することができる。また局側光ケーブル４６の余長は周壁１６の外側に保持されて外部に露出することになるが、局側光ケーブル４６は耐候性を有しているため、劣化等の問題は生じない。
【００３３】
光ケーブルが入ってない方（左側）の導入部１８、２０には図５に示す閉塞部品２２がそのまま装着される。光ケーブル４４、４６が入っている方（右側）の導入部１８、２０には、図５（Ｂ）の破線Ｓ、Ｔより先の部分を切除した閉塞部品２２が装着される。コネクタ接続部が１組だけの場合は、この状態でボックス本体１０にカバー１２が被せられる。
【００３４】
なお、ボックス本体１０の外側の光ケーブル導入部１８は、図２（Ｂ）に示すように、奥側（背面壁１４側）の方が幅（突起間の間隔）が狭く、入口側の方が幅が広く形成されている。このようにすると導入部１８の奥側では細い光ケーブルを、入口側では太い光ケーブルを把持することができる。前述のように導入部１８、２０に図５（Ｂ）の破線Ｓ、Ｔより先の部分を切除した閉塞部品２２を装着するのは、導入部１８、２０に細い光ケーブルを把持する場合であるが、導入部１８の入口側に太い光ケーブルを把持する場合には、閉塞部品２２を図５（Ｂ）の破線ＴとＵの部分で切断し、ＴとＵの間は破棄し、Ｔより先の部分を導入部１８の奥側に装着して奥側の隙間を塞ぎ、その後太いケーブルを押し込んで、その上から導入部１８、２０に閉塞部品２２の残りの部分を装着するようにすればよい。
【００３５】
図７（Ｂ）はボックス本体１０に光ケーブルのコネクタ接続部を２組収納した状態を示す。１組目の収納状態は（Ａ）と同じである。２組目のコネクタ接続部は背面壁１４から遠い方のコネクタ設置台２４Ｂに設置される。２組目の屋内光ケーブル４４と局側光ケーブル４６は、下壁部分１６ｄの左端側の導入部１８、２０を通してボックス本体１０内に導入される。２組目も、屋内光ケーブル４４の余長をループ状にしてコネクタ設置台２４Ａ、２４Ｂの裏側の余長収納部２８に収納すること、局側光ケーブル４６の余長をループ状にしてアーチ形下壁部分１６ｄの下側の余長保持部３２に保持させることは、１組目と同じである。２組目のＬ字形コネクタ５０は、１組目のＬ字形コネクタ５０と局側光ケーブル４６の引き出し方向が互いに向かい合うように設置されるが、二つのコネクタ設置台２４Ａ、２４Ｂには段差がついているため、２組目のＬ字形コネクタ５０から引き出される局側光ケーブル４６は、１組目のＬ字形コネクタ５０から引き出される局側光ケーブル４６の手前側に位置することになり、両者が干渉することはない。この実施形態では局側ケーブルのコネクタ５０がＬ字形の場合を説明したが、同コネクタが直線形の場合でも同様の効果が得られる。
【００３６】
図８（Ａ）、（Ｂ）は、屋内光ケーブル４４と局側光ケーブル４６を汎用のＳＣコネクタ５４で接続した場合の収納方法を示す。（Ａ）は屋内光ケーブル４４と局側光ケーブル４６のＳＣコネクタ５４による接続部を１組だけ収納した場合、（Ｂ）は同接続部を２組収納した場合である。二つのＳＣコネクタ５４はアダプタ５６を介して接続される。アダプタ５６は両側面に突片５８を有しており、この突片５８を上段側のコネクタホルダ２６に押し込むことで、コネクタ接続部がコネクタ設置台２４Ａ、２４Ｂ上に保持される。ＳＣコネクタ５４による接続部は直線状で長さが長くなるため、屋内光ケーブル４４は余長収納部２８に余長を収納しない。局側光ケーブル４６の余長を下壁部分１６ｄの下側の余長保持部３２に保持させることは図７の場合と同じである。
【図面の簡単な説明】
【００３７】
【図１】本発明に係る光ケーブル接続部収納ボックスの一実施形態を示す分解斜視図。
【図２】図１の光ケーブル接続部収納ボックスのボックス本体を示す、（Ａ）は正面図、（Ｂ）は底面図、（Ｃ）は側面図。
【図３】図２のボックス本体を斜め上側から見た斜視図。
【図４】図２のボックス本体を斜め下側から見た要部の斜視図。
【図５】図２のボックス本体に使用される閉塞部品を示す、（Ａ）は正面図、（Ｂ）は底面図、（Ｃ）は右側面図、（Ｄ）は左側面図。
【図６】図１の光ケーブル接続部収納ボックスのカバーを裏側から見た斜視図。
【図７】図１の光ケーブル接続部収納ボックスの使用状態を示すもので、（Ａ）はコネクタ接続部を１組だけ収納した場合、（Ｂ）はコネクタ接続部を２組収納した場合の正面図。
【図８】図１の光ケーブル接続部収納ボックスの他の使用状態を示すもので、（Ａ）はＳＣコネクタ接続部を１組だけ収納した場合、（Ｂ）はＳＣコネクタ接続部を２組収納した場合の正面図。
【符号の説明】
【００３８】
１０：ボックス本体
１２：カバー
１４：背面壁
１６：周壁
１６ａ：上壁部分
１６ｂ、１６ｃ：側壁部分
１６ｄ：下壁部分
１８、２０：光ケーブル導入部
２２：閉塞部品
２４Ａ、２４Ｂ：コネクタ設置台
２６：コネクタホルダ
２８：余長収納部
３０：ガイド
３２：余長保持部
３４：連結部
３６：あご部
４４：屋内光ケーブル
４６：局側光ケーブル
４８：屋内光ケーブル側コネクタ
５０：局側光ケーブル側コネクタ
５４：ＳＣコネクタ
５６：アダプタ
【図１】
2006098433.tif 000003
【図２】
2006098433.tif 000004
【図３】
2006098433.tif 000005
【図４】
2006098433.tif 000006
【図５】
2006098433.tif 000007
【図６】
2006098433.tif 000008
【図７】
2006098433.tif 000009
【図８】
2006098433.tif 000010